(57)【要約】【課題】小型化で、廃水から得たリン結晶の破砕を抑制し、メンテナンスを簡易化したリン回収装置を提供する。【解決手段】実施形態のリン回収装置は、一端側に開口部が形成された円筒形状の反応槽と、前記反応槽の前記開口部から前記反応槽の内部に向けて延在する被処理水供給管と、前記反応槽の前記開口部から前記反応槽の前記内部に向けて延在するリン回収材供給管とを具える。また、前記反応槽は、その中心軸が水平面に対して傾斜することにより、前記開口部の位置が前記内部の位置よりも高くなるようにして配設され、前記反応槽の内壁面には、前記開口部から前記内部に向けてらせん状の板状部材が立設されている。【選択図】図１
2015020159.tif 000002
【特許請求の範囲】
【請求項１】
一端側に開口部が形成された円筒形状の反応槽と、
前記反応槽の前記開口部から前記反応槽の内部に向けて延在する被処理水供給管と、
前記反応槽の前記開口部から前記反応槽の前記内部に向けて延在するリン回収材供給管とを具え、
前記反応槽は、その中心軸が水平面に対して傾斜することにより、前記開口部の位置が前記内部の位置よりも高くなるようにして配設され、
前記反応槽の内壁面には、前記開口部から前記開口部と相対する前記反応槽の端面の側に向けてらせん状の板状部材が立設されていることを特徴とする、リン回収装置。
【請求項２】
一端側に開口部が形成された円筒形状の反応槽と、
前記反応槽の前記開口部から前記反応槽の内部に向けて延在する被処理水供給管と、
前記反応槽の前記開口部から前記反応槽の前記内部に向けて延在するリン回収材供給管とを具え、
前記反応槽は、その中心軸が水平面に対して傾斜することにより、前記開口部の位置が前記内部の位置よりも高くなるようにして配設され、
前記反応槽の内壁面には、前記開口部から前記開口部と相対する前記反応槽の端面の側に向けて複数のらせん状の板状部材が立設されていることを特徴とする、リン回収装置。
【請求項３】
前記複数のらせん状の板状部材は、当該板状部材の数をｎとした場合において、互いの先端部が３６０／ｎ度の角度をなして位置するように配設されていることを特徴とする、請求項２に記載のリン回収装置。
【請求項４】
前記反応槽の前記開口部に沿って形成した堰を具えることを特徴とする、請求項１〜３のいずれか一に記載のリン回収装置。
【請求項５】
前記堰と前記板状部材の先端面との間に配設した傾斜板を具えることを特徴とする、請求項４に記載のリン回収装置。
【請求項６】
前記反応槽の前記開口部の径を、前記反応槽の前記内部の径に比較して小さくする、又は前記開口部の径及び前記端面の径を、前記内部の径に比較して小さくしたことを特徴とする、請求項１〜５のいずれか一に記載のリン回収装置。
【請求項７】
前記反応槽の前記中心軸に垂直な断面に沿って見た場合において、前記板状部材を、少なくとも前記断面の内方に位置する第１の板状部材片と、前記断面の外方に位置する第２の板状部材片とに分断して離隔配置し、前記第１の板状部材片の断面に沿った第１の直線と、前記第２の板状部材片の断面に沿った第２の直線とが一致する、又は前記第１の直線が前記第２の直線の内側に位置し、前記第２の板状部材片と交差することを特徴とする、請求項１〜６のいずれか一に記載のリン回収装置。
【発明の詳細な説明】
【技術分野】
【０００１】
本発明の実施形態は、リン回収装置に関する。
【背景技術】
【０００２】
都市下水または有機性廃水にはリンが含まれている場合が多く、このようなリン含有の有機性廃水が東京湾などの内湾、琵琶湖などの湖沼の閉鎖性水域に流れ込むことにより、リンを原因物質とする富栄養化の問題が生じている。一方で、リンは特に農作物の肥料源として重要な資源であるが、我が国はリン鉱石を生産せず、輸入に頼っている状況である。
【０００３】
したがって、上述のようなリン含有廃水中からリンを効率良く回収し、リサイクルすることができれば、上述した富栄養化の問題を解消することができるとともに、リン資源の国内での自活を図ることができる。
【０００４】
廃水中からリンを除去するためには、従来、各種金属塩を用いた凝集沈殿法や晶析脱リン法が用いられていた。しかしながら、凝集沈殿法はＡｌ塩、Ｆｅ塩、Ｃａ塩等の薬剤コストがきわめて高くなり、また生成した沈殿物の処理が大きな問題となっている。また晶析脱リン法はヒドロキシルアパタイトの種晶を用い、リンを効率よくヒドロキシルアパタイトに変換し、これを除去する方法（ＨＡＰ方式）であり、生成沈澱物は少なくなるものの、液中の ＨＣＯ３− イオンが晶析を阻害するため、一度酸性にしてＨＣＯ３− を除去した後、弱アルカリ側にｐＨをもどす必要がある。このため凝集沈殿法と同様に薬剤によるランニングコストが大きくなる。
【０００５】
かかる問題に鑑み、特許文献１では、ポリリン酸蓄積能を有するミクロコッカス様細菌の、好気的条件下でリン含有廃水と接触させることによってリンを吸着し、当該菌を嫌気的条件下におくことにより吸着したリンを放出する性質を利用して、廃水中のリンを回収する試みがなされている。しかしながら、特許文献１に記載の方法では、高効率に廃水中のリンを回収することができないという問題があった。
【０００６】
また、特許文献１には、嫌気工程及び好気工程を経てリンの脱着を行う微生物を用い、リンを含有する汚泥を得た後、この汚泥を濃縮し、濃縮汚泥からリンを放出させて得たリン含有分離水にマグネシウム塩を添加し、リンをリン酸マグネシウムアンモニウム（ＭＡＰ）として析出させ、回収する方法が開示されている。
【０００７】
しかしながら、この方法では、一定の反応時間が必要であり、ＭＡＰを生成させるために大きな反応槽が必要になる。そして、生成されたＭＡＰを取り出す間、その反応槽では処理を行なえないので、連続的に廃水を処理するためには複数の反応槽が必要である。また、反応槽の他に熟成槽や、これらよりもさらに大きいサイズの沈殿槽が必要になる場合もある。このように、反応槽、熟成槽及び沈殿槽として巨大なタンクがいくつも必要になるため、処理水量の多い地域の水処理を上述の構成の装置で対応しようとすると、水処理装置の規模が大きくなり、水処理施設を設置するために広大な敷地が必要となる（特許文献２）。
【０００８】
また、反応槽では、内部を攪拌するために空気で曝気している。そのため、反応槽において、微細な生成物が発生する可能性があるだけでなく、反応槽で生成された結晶を破砕してしまう可能性もある。このため、微細な生成物や破砕された結晶が反応槽の外へ流出すると、反応槽よりも後段の配管やプロセスにおいて結晶が蓄積したり成長したりして、水処理装置のメンテナンスの頻度が増えて稼働率が低下するという問題がある。
【先行技術文献】
【特許文献】
【０００９】
【特許文献１】特開平９−２６２５９９号
【特許文献２】特許第４０２８１８９号
【発明の概要】
【発明が解決しようとする課題】
【００１０】
本発明は、小型化で、廃水から得たリン結晶の破砕を抑制し、メンテナンスを簡易化したリン回収装置を提供することを目的とする。
【課題を解決するための手段】
【００１１】
実施形態のリン回収装置は、一端側に開口部が形成された円筒形状の反応槽と、前記反応槽の前記開口部から前記反応槽の内部に向けて延在する被処理水供給管と、前記反応槽の前記開口部から前記反応槽の前記内部に向けて延在するリン回収材供給管とを具える。また、前記反応槽は、その中心軸が水平面に対して傾斜することにより、前記開口部の位置が前記内部の位置よりも高くなるようにして配設され、前記反応槽の内壁面には、前記開口部から前記内部に向けてらせん状の板状部材が立設されている。
【図面の簡単な説明】
【００１２】
【図１】第１の実施形態におけるリン回収装置の概略構成図である。
【図２】第２の実施形態におけるリン回収装置の概略構成図である。
【図３】第２の実施形態におけるリン回収装置の作用効果を説明するための図である。
【図４】第２の実施形態におけるリン回収装置の作用効果を説明するための図である。
【図５】第２の実施形態におけるリン回収装置の作用効果を説明するための図である。
【図６】第２の実施形態におけるリン回収装置の作用効果を説明するための図である。
【図７】第２の実施形態におけるリン回収装置の作用効果を説明するための図である。
【図８】第３の実施形態におけるリン回収装置の概略構成図である。
【図９】第３の実施形態におけるリン回収装置の変形例の概略構成図である。
【図１０】第４の実施形態におけるリン回収装置の概略構成図である。
【図１１】第５の実施形態におけるリン回収装置の反応槽の開口部近傍を拡大して示す切欠図である。
【図１２】図１１に示す箇所を平面的に見た場合の図である。
【発明を実施するための形態】
【００１３】
（第１の実施形態）
図１は、本実施形態におけるリン回収装置の概略構成図である。
図１に示すリン回収装置１０は、一端側に開口部１１Ｂが形成された円筒形状の反応槽１１を有している。反応槽１１の内壁面１１Ａ上には、開口部１１Ｂ側から反応槽１１の内部、本実施形態では開口部１１Ｂと相対向する端板１１Ｃに向けて、右回り（時計回り）に巻回してなるらせん状の板状部材１２が幅方向を中心に向けてその外側面側を反応槽１１の内面に固着させて開らせん状に立設されている。なお、本実施形態において、反応槽１１は円筒形状としているが、多角形のドラム状として構成することもできる。
【００１４】
なお、らせん状の板状部材１２は、反応槽１１の端板１１Ｃに至るまで形成されていることが必要である。これによって、反応槽１１内に供給したリン回収材が反応槽１１の端板１１Ｃにまで十分に供給され、反応槽１１内に供給された被処理水とリン回収材との接触割合が増大して、被処理水Ｗより十分にリン回収を行うことができる。
【００１５】
また、本実施形態において、らせん状の板状部材１２は右回り（時計回り）に巻回させているが、左回り（反時計回り）に巻回させることもできる。さらに、本実施形態では、らせん状の板状部材１２を１２１，１２２，１２３，１２４の４つのターンから構成するようにしているが、当該ターンの数は必要に応じて任意の数とすることができる。
【００１６】
反応槽１１内には、外部からリンを含む被処理水Ｗを当該反応槽１１内に導入するための被処理水供給管としての配管１３と、外部からリン回収材Ｓを当該反応槽１１内に導入するためのリン回収材供給管としての配管１４とが配設されている。図１から明らかなように、配管１３及び１４は、反応槽１１の開口部１１Ｂから、反応槽１１の内壁面に配設された、らせん状の板状部材１２の中心部分に形成された略円筒状の空間内を貫通するようにして配設されている。
【００１７】
また、図１に示すように、配管１３は、以下に説明するリン回収方法において、反応槽１１内に供給した被処理水Ｗが、らせん状の板状部材１２の回転によって反応槽１１の開口部１１Ｂから外部に短時間で漏洩（板状部材１２から越流）しないように、その先端部１３Ａが反応槽１１のなるべく内部、好ましくは端板１１Ｃの近傍に位置するように配設することが好ましい。
【００１８】
一方、配管１４は、以下に説明するリン回収方法において、反応槽１１内に供給したリン回収材Ｓが、反応槽１１内に供給した被処理水Ｗと十分に接触し、リン回収効率を向上させるべく、その先端部１４Ａが反応槽１１のなるべく開口部１１Ｂ側に位置することが好ましい。しかしながら、開口部１１Ｂにあまりに近接し過ぎると、以下に説明するリン回収方法において、リン回収材Ｓがらせん状の板状部材１２（の回転）によって反応槽１１の内部に送られずに、開口部１１Ｂより外部に漏れ出てしまう場合がある。したがって、反応槽１１の傾斜角にもよるが、図１に示すように、配管１４は、その先端部１４Ａが、例えばらせん状の板状部材１２の２番目のターン１２２の位置するように配設することが好ましい。
【００１９】
なお、上述した構成から明らかなように、本実施形態の反応槽１１は、配管１３及び１４を導入する開口部１１Ｂが反応槽１１の左端部に形成されているため、従来の縦型の反応槽とは異なり、横型の反応槽を構成することが分かる。
【００２０】
また、図１に示すように、反応槽１１は、その中心軸Ｉ−Ｉが水平面に対して傾斜しており、開口部１１Ｂの位置が端板１１Ｃの位置よりも高くなっている。これは、本実施形態の反応槽１１が、従来の縦型の反応槽と異なり横型の反応槽の形態を採ってはいるものの、反応槽１１内にはある程度の被処理水Ｗを保持し、当該被処理水Ｗ中に含まれるリンをリン回収材Ｓを用いて回収する必要があることに起因する。
【００２１】
なお、反応槽１１の中心軸Ｉ−Ｉと水平面とのなす角度、具体的には、反応槽１１自体と水平面とのなす角度θは、反応槽１１の大きさや反応槽１１内に保持する被処理水Ｗの量に依存するが、例えば５度〜３０度の大きさとする。
【００２２】
反応槽１１の外周面には、図示しない複数のローラが反応槽１１の当該外周面と接触するようにして配設され、これら複数のローラが図示しないモータ等によって駆動されることによって、反応槽１１は、図１に示すように、適宜時計回りあるいは反時計回りに回転駆動されるようになっている。
【００２３】
なお、反応槽１１、板状部材１２、配管１３及び１４は被処理水Ｗ等に対して耐食性を有するステンレス部材の他、ガラス部材、セラミック部材等から構成することができる。
【００２４】
次に、図１に示すリン回収装置１０を用いたリン回収方法について説明する。
最初に、反応槽１１を図示しない複数のローラ等を介して反時計回りに回転させる。次いで、被処理水供給管である配管１３より被処理水Ｗを反応槽１１内に導入するとともに、リン回収材供給管である配管１４よりリン回収材Ｓを反応槽１１内に導入する。
【００２５】
リン回収材Ｓは特に限定されるものではなく、ヒドロキシルアパタイトの種晶（ＨＡＰ法）やマグネシウム塩（ＭＡＰ法）等の公知のものを使用することができる。
【００２６】
このとき、反応槽１１内に導入された被処理水Ｗは反応槽１１内で開口部１１Ｂに向けて徐々に嵩を増していき、配管１４より供給されたリン回収材Ｓは、反応槽１１の回転に伴うらせん状の板状部材１２の反時計回りの回転に伴って、徐々に反応槽１１の内部、すなわち端板１１Ｃに向けて移送されるようになる。したがって、反応槽１１内に供給された被処理水Ｗとリン回収材Ｓとは、反応槽１１の回転に伴って接触し、さらにはある程度の割合で向流接触するようになる。このため、被処理水Ｗ中のリンＰは、リン回収材Ｓと接触することによる結晶成長晶析作用が均質化され、リンの微細結晶等を生成することがない。したがって、被処理水Ｗ中のリンＰの回収を容易に行うことができる。
【００２７】
なお、らせん状の板状部材１２が、反応槽１１の端板１１Ｃに至るまで形成されていない場合は、反応槽１１内に供給したリン回収材Ｓが反応槽１１の端板１１Ｃにまで十分に供給されなかったり、らせん状の板状部材１２による撹拌効果が低減したりして、上述した向流接触の度合が減少してしまい、被処理水Ｗ中のリンＰの回収を十分に行うことができない場合がある。
【００２８】
同様に、配管１３の先端部１３Ａが反応槽１１のなるべく内部、好ましくは端板１１Ｃの近傍に位置しない場合は、反応槽１１に供給した被処理水Ｗが反応槽１１の開口部１１Ｂから外部に短時間で漏洩してしまう場合があるので、上述した被処理水Ｗとリン回収材Ｓとの接触度合が減少するとともに、向流接触の度合も減少するので、リン結晶の生成割合が減少するとともに、微細なリンの結晶を生じてしまい、被処理水Ｗ中のリンＰの回収を十分に行うことができない場合がある。
【００２９】
また、配管１４の先端部１４Ａが反応槽１１の開口部１１Ｂ側に位置すると、反応槽１１の回転に伴うらせん状の板状部材１２の回転によって、反応槽１１に供給したリン回収材Ｓが反応槽１１の外部に漏洩してしまい、上述した被処理水Ｗとリン回収材Ｓとの接触度合が減少するとともに、向流接触の度合も減少するので、リン結晶の生成割合が減少するとともに、微細なリンの結晶を生じてしまい、被処理水Ｗ中のリンＰの回収を十分に行うことができない場合がある。
【００３０】
上述のように、反応槽１１を図示しない複数のローラ等を介して反時計回りに回転させた後、必要に応じて反応槽１１の回転を止め、所定時間静置した後に、反応槽１１を図示しない複数のローラ等を介して時計回りに回転させる。すると、被処理水Ｗ中のリンＰとリン回収材Ｓとが反応して生成したリン結晶、例えばヒドロキシルアパタイトやリン酸マグネシウムアンモニウムが、反応槽１１の内壁面１１Ａ上に立設されたらせん状の板状部材１２の回転運動によって反応槽１１の開口部１１Ｂに移送され、当該開口部１１Ｂから外部に排出され、図中矢印で示すように図示しないホッパー等によって回収されるようになる。
【００３１】
このように本実施形態では、上述したような向流接触に加えて、横型の反応槽１１を用い、反応槽１１自体を回転させて被処理水Ｗとリン回収材Ｓとを接触させるようにしている。したがって、縦型の反応槽の場合のように、攪拌機で被処理水等を撹拌することがないので、生成したリン結晶を破砕して微細化してしまうのを抑制することができる。このため、反応槽１１よりも後段の配管やプロセスにおいて微細なリン結晶が蓄積したり成長したりしてしまうのを抑制することができ、リン回収装置のメンテナンスの頻度を低減することができる。
【００３２】
また、本実施形態によれば、反応槽１１のみで被処理水Ｗ中のリンＰとリン回収材Ｓとを反応させ、リン結晶を得ることにより、被処理水Ｗ中のリンＰを回収することができるので、従来のように、熟成槽及び沈殿槽等を設ける必要がない。したがって、装置全体の構成を簡略化できるとともに小型化することができる。
【００３３】
なお、本実施形態では、らせん状の板状部材１２を、開口部１１Ｂから端板１１Ｃに向けて、右回り（時計回り）に巻回したため、被処理水Ｗとリン回収材Ｓとの接触の際は、反応槽１１を反時計回りに回転させ、生成したリン結晶を外部に排出して回収する際は、時計回りに回転させている。但し、らせん状の板状部材１２を左回り（反時計回り）に巻回させた場合においては、被処理水Ｗとリン回収材Ｓとの接触の際は、反応槽１１を時計回りに回転させ、生成したリン結晶を外部に排出して回収する際は、反時計回りに回転させる。
【００３４】
（第２の実施形態）
図２は、本実施形態におけるリン回収装置の概略構成図である。また、図３〜図７は、本実施形態におけるリン回収装置の作用効果を説明するための図である。なお、図１に示す構成要素と類似あるいは同一の構成要素に関しては、同一の符号を用いている。
【００３５】
図２に示すリン回収装置２０は、図１に示すリン回収装置１０に比較して、反応槽１１の内壁面１１Ａ上に追加のらせん状の板状部材２２が配設されている点で相違する。また、追加のらせん状の板状部材２２は、反応槽１１の開口部１１Ｂにおいて、その先端部２２Ａが先のらせん状の板状部材１２の先端部２１Ａと１８０度異なる位置となるように配設されているとともに、開口部１１Ｂから端板１１Ｃに向けて、らせん状の板状部材１２と同じ右回り（時計回り）に巻回するようにしている。したがって、以下では、これらの相違点に基づく、本実施形態のリン回収装置２０の作用効果を図３〜図７を参照して説明する。
【００３６】
図３に示すように、リン回収装置において単独のらせん状の板状部材１２のみが配設されている場合は、らせん状の板状部材１２の第１のターン１２１が開口部１１Ｂの近傍に位置するとき、当該第１のターン１２１が反応槽１１内に供給された被処理水Ｗに対する堰として機能するが、図４に示すように、例えば反応槽１１が９０度回転して第１のターン１２１が反応槽１１の内部に移動すると、開口部１１Ｂの近傍には堰が存在しなくなる。したがって、この場合は、反応槽１１に供給した被処理水Ｗが開口部１１Ｂから外部に漏れ（図中矢印で示す）、この状態は、例えば反応槽１１が３６０度回転して再び開口部１１Ｂの近傍に位置するようになるまで続く。
【００３７】
一方、追加のらせん状の板状部材２２を配設した場合は、図５に示すように、らせん状の板状部材１２の第１のターン１２１が開口部１１Ｂの近傍に位置するとき、当該第１のターン１２１が反応槽１１内に供給された被処理水Ｗに対する堰として機能するが、図６に示すように、例えば反応槽１１が９０度回転して第１のターン１２１が反応槽１１の内部に移動すると、開口部１１Ｂの近傍には堰が存在しなくなる。したがって、この場合は、反応槽１１に供給した被処理水Ｗが開口部１１Ｂから外部に漏れてしまう（図中矢印で示す）。
【００３８】
しかしながら、反応槽１１がさらに９０度回転して合計１８０度回転すると、開口部１１Ｂの近傍には追加のらせん状の板状部材２２の第１のターン２２１が位置するようになり、この第１のターン２２１が堰として機能するようになる。したがって、この場合においては、反応槽１１内に供給した被処理水Ｗが開口部１１Ｂから外部に漏れてしまうことがない。
【００３９】
すなわち、単一のらせん状の板状部材１２のみを配設した場合は、反応槽１１の１回転毎にしか反応槽１１内に供給した被処理水Ｗが外部に漏れるのを抑制できないが、追加のらせん状の板状部材２２を配設した場合は、被処理水Ｗの外部への漏洩を反応槽１１の半回転毎に抑制することができる。したがって、反応槽１１内に供給した被処理水Ｗをより多くかつ長時間、反応槽１１内に保持しておくことができる。この結果、被処理水Ｗ中のリンＰとリン回収材Ｓとの接触時間及び機会をより確保することができ、リンの回収効率を向上させることができる。
【００４０】
なお、本実施形態では、先のらせん状の板状部材１２に対して追加のらせん状の板状部材２２を配設し、合計２つのらせん状の板状部材を配設するようにしているが、３以上のらせん状の板状部材を配設することもできる。
【００４１】
この場合、配設するらせん状の板状部材の数をｎとして、互いの先端部が３６０／ｎ度の角度をなして位置するように配設することが好ましい。このような条件を満足するように複数のらせん状の板状部材を配設すれば、これららせん状の板状部材の配設設計を容易に行うことができるようになる。
【００４２】
なお、その他の特徴、及び作用効果については第１の実施形態と同様であるので、説明を省略する。
【００４３】
（第３の実施形態）
図８は、本実施形態におけるリン回収装置の概略構成図であり、図９は、本実施形態のリン回収装置の変形例に関する概略構成図である。なお、図１に示す構成要素と類似あるいは同一の構成要素に関しては、同一の符号を用いている。
【００４４】
図８に示すリン回収装置３０は、図１に示すリン回収装置１０の開口部１１Ｂにおいて堰３２を配設している点で相違する。したがって、反応槽１１内に比較的多量の被処理水Ｗを供給した場合においても、堰３２によって被処理水Ｗが開口部１１Ｂから外部に漏洩するのを抑制することができる。したがって、被処理水Ｗを反応槽１１内に比較的多量に保持した状態でリン回収を行うことができるので、回収できるリンの量を増大させることでき、リンの回収効率を増大させることができる。
【００４５】
また、図９に示すリン回収装置３０では、堰３２とらせん状の板状部材１２の第１のターン１２１の先端板との間に傾斜板３３を配設している。したがって、反応槽１１内で被処理水Ｗとリン回収材Ｓとを接触させてリン結晶を得、これによってリンの回収を行う際に、上記リン結晶が傾斜板３３を介して堰３２に移送されるようになるので、リン結晶は堰３２を比較的容易に乗り越えることができる。したがって、被処理水Ｗを反応槽１１内に比較的多量に保持した状態で簡易にリン回収を行うことができるので、回収できるリンの量を増大させることでき、リンの回収効率を簡易に増大させることができる。
【００４６】
なお、本実施形態の傾斜板３３は、堰３２の反応槽１１との結合部かららせん状の板状部材１２の第１のターン１２１の反応槽１１との結合部に引いた線を底辺とし、当該底辺から堰３２の側面に沿って引いた斜辺と、第１のターン１２１の側面に沿って引いた斜辺とを有する三角形状の部材から構成しているが、上述した作用効果を奏する限り、傾斜板３３の形態は特に限定されるものではない。
【００４７】
その他の特徴、及び作用効果については第１の実施形態と同様であるので、説明を省略する。
【００４８】
（第４の実施形態）
図１０は、本実施形態におけるリン回収装置の概略構成図である。なお、図１に示す構成要素と類似あるいは同一の構成要素に関しては、同一の符号を用いている。
【００４９】
図１０に示すリン回収装置４０は、図１に示すリン回収装置１０において、反応槽１１の開口部１１Ｂの径を、反応槽１１の内部の径に比較して小さく、すなわち開口部１１Ｂを狭窄している点で相違する。したがって、反応槽１１内に比較的多量の被処理水Ｗを供給した場合においても、開口部１１Ｂが狭窄されていることにより、その下面側が上がっているので、当該下面が堰として機能するようになる。したがって、被処理水Ｗが開口部１１Ｂから外部に漏洩するのを抑制することができる。
【００５０】
このため、被処理水Ｗを反応槽１１内に比較的多量に保持した状態でリン回収を行うことができるので、回収できるリンの量を増大させることでき、リンの回収効率を増大させることができる。
【００５１】
その他の特徴、及び作用効果については第１の実施形態と同様であるので、説明を省略する。また、本実施形態では、反応槽１１の、開口部１１Ｂ側のみを狭窄しているが、開口部１１Ｂ側に加えて、端面１１Ｃ側をも同様に狭窄したような構造とすることができる。
【００５２】
（第５の実施形態）
図１１は、本実施形態におけるリン回収装置の反応槽の開口部近傍を拡大して示す切欠図であり、図１２は、図１１に示す箇所を平面的に見た場合の図である。
【００５３】
図１１及び図１２に示すように、本実施形態のリン回収装置５０では、反応槽１１の中心軸Ｉ−Ｉに垂直な断面に沿って見た場合において、らせん状の板状部材１２の、第１のターン１２１を、断面の内方に位置する第１の板状部材片１２１−１と、断面の外方に位置する第２の板状部材片１２１−２とに分断して離隔配置している。
【００５４】
したがって、反応槽１１内に供給した被処理水Ｗが開口部１１Ｂから外部に漏洩する場合、第１の板状部材片１２１−１及び第２の板状部材片１２１−２間に形成された隙間を通るようになる。このため、上記隙間を通らずに、例えばらせん状の板状部材１２の第１のターン１２１を越流して開口部１１Ｂから外部に漏洩する場合に比較して、反応槽１１内に供給された被処理水Ｗを静的に保持し、開口部１１Ｂから外部に緩やかに漏洩するようになる。したがって、反応槽１１内に供給されたリン回収材Ｓが被処理水Ｗの越流に伴い開口部１１Ｂから外部に短時間で排出するようなことがなく、被処理水Ｗ中のリンＰとリン回収材Ｓとの接触効率を十分高く保持することができる。
【００５５】
また、第１の板状部材片１２１−１の断面に沿った第１の直線Ｌ１と、第２の板状部材片１２１−２の断面に沿った第２の直線Ｌ２とが一致するようにしているので、被処理水Ｗ中のリンＰとリン回収材Ｓとの接触を行い、リン結晶を得てリンの回収を行う場合、当該リン結晶がらせん状の板状部材１２の回転運動より脱落することなく、当該板状部材１２の回転によって、反応槽１１の開口部１１Ｂにまで移送されるようになる。具体的には、第２の板状部材片１２１−２によって移送されてきたリン結晶が脱落することなく第１の板状部材片１２１−１に移送され、開口部１１Ｂにまで移送されるようになる。
【００５６】
なお、第２の板状部材片１２１−２によって移送されてきたリン結晶が脱落することなく第１の板状部材片１２１−１に移送され、開口部１１Ｂにまで移送されれば、その要件は特に限定されるものではなく、第１の板状部材片１２１−１と第２の板状部材片１２１−２とが互いに重畳するようにしてもよい。
【００５７】
その他の特徴、及び作用効果については第１の実施形態と同様であるので、説明を省略する。
【００５８】
以上、本発明のいくつかの実施形態を説明したが、これらの実施形態は例として掲示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５９】
１０，２０，３０，４０，５０  リン回収装置
１１  反応槽
１２  らせん状の板状部材
１３  被処理水供給管
１４  リン回収材供給管
２２  追加のらせん状の板状部材
３２  堰
３３  傾斜板
【図１】
2015020159.tif 000003
【図２】
2015020159.tif 000004
【図３】
2015020159.tif 000005
【図４】
2015020159.tif 000006
【図５】
2015020159.tif 000007
【図６】
2015020159.tif 000008
【図７】
2015020159.tif 000009
【図８】
2015020159.tif 000010
【図９】
2015020159.tif 000011
【図１０】
2015020159.tif 000012
【図１１】
2015020159.tif 000013
【図１２】
2015020159.tif 000014